(57)【要約】【課題】  製作が容易であり、しかも播種はもとより、幼体または成体の移植にも安定して適用できる利用価値の高い海草増殖基盤を提供する。【解決手段】  ヤシマット２の上にリュウキュウスガモの種子３を配置すると共に、種子３の上に生分解性の被覆ネット４を配置し、被覆ネット４とヤシマット２とを連結部材により固結して、両者により前記種子３を挟持する。この海草増殖基盤１を海底に敷設すると、種子３から発芽した葉茎部が被覆ネット４を通して自由に伸長するともに、根茎部がヤシマット２を通して自由に伸長し、海草類が順調に生育する。一方、被覆ネット４およびヤシマット２は、適当な期間が経過すると分解するので、環境に悪影響を与えることがない。種子３に代えて海草類の幼体または成体を配置すれば、移植に用いることができる。また、剛性を適当に高めるため、被覆ネット４の上に目の大きい金網を配置してもよい。【選択図】  図１
2005348696.tif 000002
【特許請求の範囲】
【請求項１】
生分解性を有する多孔質の支持板の上に海草類の種子を配置すると共に、前記種子の上に生分解性を有する被覆ネットを配置し、前記支持板と前記被覆ネットとを連結部材により固結して、両者により前記種子を挟持したことを特徴とする海草増殖基盤。
【請求項２】
生分解性を有する多孔質の支持板の上に海草類の幼体または成体を配置すると共に、前記幼体または成体の上に生分解性を有する被覆ネットを配置し、前記支持板と前記被覆ネットとを連結部材により固結して、両者により前記幼体または成体の根茎部を挟持したことを特徴とする海草増殖基盤。
【請求項３】
支持板が、ヤシマットからなることを特徴とする請求項１または２に記載の海草増殖基盤。
【請求項４】
支持板が、生分解性のネットからなることを特徴とする請求項１または２に記載の海草増殖基盤。
【請求項５】
海草類が、リュウキュウスガモであることを特徴とする請求項１乃至４の何れか１項に記載の海草増殖基盤。
【請求項６】
海草類が、リュウキュウアマモ、ベニアマモ、ボウバアマモ、ウミジグサ、マツバウミジグサ、ウミショウブ、ウミヒルモから選択された少なくとも１種であることを特徴とする請求項２乃至４の何れか１項に記載の海草増殖基盤。
【請求項７】
被覆ネットの上に、該被覆ネットよりも大きな目を有する金網を配置し、該金網と、被覆ネットと支持板とを連結部材により固結したことを特徴とする請求項１乃至６の何れか１項に記載の海草増殖基盤。
【発明の詳細な説明】
【技術分野】
【０００１】
本発明は、アマモ、リュウキュウスガモ等の海草類の藻場、いわゆる海草場の造成に用いる海草増殖基盤に関する。
【背景技術】
【０００２】
藻場は、底生生物、魚類、プランクトン等の様々な生物の生息に適した環境を提供するほか、水質浄化、親水等の環境改善にも寄与するものとなっている。特に、アマモ場は、顕花植物であるアマモとそれに付着する微細藻類とにより大きな幼稚仔育成機能をもつことが知られており、近年、その保全、再生（造成）が重要なテーマとなっている。
【０００３】
上記アマモ場の造成に関しては、従来より種々の方法が提案されているが、その基本形態は、アマモの種子を播種する播種方式とアマモの幼体または成体を移植する移植方式とに大別される。このうち、播種方式の藻場造成方法としては、例えば、特許文献１に記載されたものがあり、このものでは、布地、不織布、ネット、多孔膜等からなる生分解性のシート部材の上、あるいは二枚のシート部材の間にアマモの種子を配置して固着してなる播種シートを製作し、該播種シートをロール状に巻いて海底に降ろして敷設するようにしている。また、移植方式の藻場造成方法としては、例えば、特許文献２に記載されたものがあり、このものでは、バケットにアマモの幼体や成体を水底土砂ごと採取し、これを移植場所に沈降させてバケットから海底に落し込むようにしている。
【特許文献１】特開平１０−４２６２６号公報
【特許文献２】特開平１１−３１８２００号公報
【発明の開示】
【発明が解決しようとする課題】
【０００４】
しかしながら、上記特許文献１に記載される藻場造成方法によれば、固着剤を用いてシート部材に種子を固着するようにしているため、例えば、種子を分散させた生分解性樹脂のエマルジョン液にシート部材を浸漬させるなどの面倒な工程が必要になり、播種シートが高コストになる、という問題があった。また、上記特許文献２に記載される藻場造成方法によれば、潮流や波浪の影響で土砂と一緒に幼体や成体が流出することが多いため、移植効率が低いという問題があった。
【０００５】
本発明は、上記した技術的背景に鑑みてなされたもので、その課題とするところは、製作が容易であり、しかも播種はもとより、幼体または成体の移植にも安定して適用できる利用価値の高い海草増殖基盤を提供することにある。
【課題を解決するための手段】
【０００６】
上記課題を解決するため、第１の発明は、生分解性を有する多孔質の支持板の上に海草類の種子を配置すると共に、前記種子の上に生分解性を有する被覆ネットを配置し、前記支持板と前記被覆ネットとを連結部材により固結して、両者により前記種子を挟持したことを特徴とする。
【０００７】
また、第２の発明は、生分解性を有する多孔質の支持板の上に海草類の幼体または成体を配置すると共に、前記幼体または成体の上に生分解性を有する被覆ネットを配置し、前記支持板と前記被覆ネットとを連結部材により固結して、両者により前記幼体または成体の根茎部を挟持したことを特徴とする。
【０００８】
上記第１の発明は播種用として、第２の発明は移植用としてそれぞれ構成されたものであるが、何れの発明においても、支持板と被覆ネットとに海草類の種子やその幼体または成体の根茎部を機械的に挟持させた構造となっているので、固着剤による面倒な固着工程は不要となり、製作コストは低減する。また、下層には多孔質の支持板が、上層には開口率の大きい被覆ネットがそれぞれ配置されているので、通根や通芽が阻害されることはなく、しかも、支持板および被覆ネットは、生分解性を有して長期的に分解消失するので、環境に悪影響を与えることもない。
【０００９】
本第１および第２の発明において、上記支持板の材種は任意であるが、ヤシ殻からなるヤシマットを用いる場合はコスト的に有利であり、また、被覆ネットと同種の生分解性のネットを用いる場合は、全体が透過構造となるので、海中への沈降が容易となる。
【００１０】
また、上記海草類の種類も任意であるが、播種用の第１の発明においては、大きな粒径の種子を産むリュウキュウスガモを選択するのが望ましく、一方、移植用の第２の発明においては、繁殖力が旺盛なリュウキュウアマモ、ベニアマモ、ボウバアマモ、ウミジグサ、マツバウミジグサ、ウミショウブ、ウミヒルモ等を選択するのが望ましい。
【００１１】
本第１および第２の発明は、上記被覆ネットの上に、該被覆ネットよりも大きな目を有する金網を配置し、該金網と、被覆ネットと支持板とを連結部材により固結した構成としてもよいものである。このように金網を付加した場合は、全体が適度の剛性を有するものとなるので、その取扱いが容易となる。
【発明の効果】
【００１２】
本発明に係る海草増殖基盤によれば、製作コストが容易で安価に提供できることに加え、播種および移植の双方に安定して適用できるので、海草類の藻場いわゆる海草場の造成に向けて好適となる。また、取扱いが容易で海底への敷設も容易であるので、海草場の造成を効率よく行うことができる。さらには、支持板および被覆ネットは長期的に分解消失するので、環境に悪影響を与えることがなく、本発明の利用価値は、総じて大なるものがある。
【発明を実施するための最良の形態】
【００１３】
以下、本発明を実施するための最良の形態を添付図面に基いて説明する。
【００１４】
図１および図２は、本発明の第１実施形態としての海草増殖基盤を示したものである。本海草増殖基盤１は、播種用として構成されており、ヤシマット（支持板）２と、このヤシマット２の上に分散して配置された海草類（ここでは、リュウキュウスガモ）の種子３と、前記種子３の上に被せられた生分解性の被覆ネット４と、ヤシマット２と被覆ネット４とを固結する連結部材（図示略）とからなっている。被覆ネット４は、種子３の粒径（リュウキュウスガモの場合は、７〜８ｍｍ）よりも細かい目を有しており、該被覆ネット４を前記連結部材によりヤシマット２に固結することで、種子３は、ヤシマット２と被覆ネット４とに機械的に挟持される。
【００１５】
上記ヤシマット２は、ヤシ殻繊維をマット化したもので、所望により生分解性の結合剤を加えてマット化してもよい。このヤシマット２は、図２に示すように多数の開口２ａを有する多孔構造（多孔質）となっており、通水および保水機能に加え、海草の根の通過を許容する通根機能を有している。ヤシマット２はまた、海底で一定期間経過することで分解する性質を有しており、したがって、生分解性を有していると定義することができる。ヤシマット２の厚さは任意であるが、あまり薄いと強度が不足して破損し易くなり、逆に厚すぎると無駄な材料が多くなってコストが高くなるので、２〜１０ｍｍ程度とするのが望ましい。
【００１６】
上記被覆ネット４としては、生分解性の樹脂の成形体を用いることができる。この場合、生分解性の樹脂の種類は任意であるが、種子３の発根、発芽が十分に進むまでの間は、生分解しないで形状を維持するものを選択する。リュウキュウスガモの種子３の場合は、その発根、発芽が十分に進むまでに１〜２ヶ月を要するので、少なくともこの間は生分解を起こさない樹脂を選択する必要がある。例えば、生分解性のポリ乳酸は、完全に生分解するまでにほぼ２〜３年を要するので、この目的に十分に適合する。被覆ネット４の厚さは任意であるが、ヤシマット２との間における種子３の挟持を確実にするには、ある程度厚くして適度の剛性を持たせるのが望ましい。生分解性のポリ乳酸によりこの被覆ネット４を成形する場合は、１〜３ｍｍ程度の厚さとすれば十分である。
【００１７】
本第１実施形態において、支持板としてのヤシマット２と被覆ネット４とを固結する固結部材および固結方法は任意であり、縫合糸により縫合する方法、線状体により固縛する方法、ホチキス（登録商標）で針を打って止める方法、連結具により締結またはクランプする方法等を用いることができる。この固結は、周縁部に対して重点的に実施し、内部側については、ヤシマット２と被覆ネット４との間に緩みを生じない適当な間隔で実施する。なお、この固結に際しては、締付力で種子３が潰れるのを防止するため、ヤシマット２と被覆ネット４との間に適当な厚さのスペーサを介装するようにしてもよい。
【００１８】
本海草増殖基盤１を製作するには、後の搬送性、敷設作業性等を考慮してヤシマット２および被覆ネット４の大きさを決定し、所定大きさのヤシマット２および被覆ネット４を用意する。一方、海底に繁殖しているリュウキュウスガモから果実を採取し、この果実を水槽に入れてその裂開を待ち、上記した種子３を採取する。なお、この種子３としては、海上に浮遊しているものを採取して用いてもよいことはもちろんである。そして、ヤシマット２上に所定の分布となるように種子３を配置し、続いてその上に被覆ネット４を被せ、その後、ヤシマット２と被覆ネット４とを適宜の連結部材を用いて固結し、これにて海草増殖基盤１は完成する。リュウキュウスガモの種子３は乾燥状態でも長期間生存するので、完成した海草増殖基盤１は、そのまま乾燥状態で保管することができる。ただし、種子３の採取から後述の敷設までにあまり時間がかかる場合は、海草増殖基盤１に適当に海水を散布して湿潤状態で保管するようにしてもよい。また、この海草増殖基盤１は、上記したようにヤシマット２と被覆ネット４との間にスペーサを介装した場合は、段積み状態で保管することができる。
【００１９】
上記海草増殖基盤１を海底に敷設するには、台船を目標とする藻場造成域に係留し、台船上のクレーンにより海草増殖基盤１の一枚または複数枚（段積み状態）を吊上げ、これを海中に降ろす。ヤシマット２は上記したように多孔質であることから、海草増殖基盤１を海中に降ろすと、海水がヤシマット２の内部に直ちに浸透すると共に、ヤシマット２の開口２ａを通して流通し、これにより、海草増殖基盤１は海水の抵抗をあまり受けずに円滑に沈降する。そして、海草増殖基盤１が海底に到達したら、潜水作業により海草増殖基盤１を１枚ずつ海底に敷設し、以降、前記操作を繰返して藻場造成域に必要枚数の海草増殖基盤を敷き並べる。このように敷設された海草増殖基盤１は、上層の被覆ネット４はもちろん、下層のヤシマット２が十分なる通水機能を有しているので、敷設したままでも安定するが、より安定化を図るため、該海草増殖基盤１の上面に適宜の重量物や砂を載せ、あるいは固定具（アンカー）を海草増殖基盤１を通して海底地盤に打ち込んでもよい。
【００２０】
上記のように海草増殖基盤１を敷設した後、２〜３週間程度経過すると、海草増殖基盤１内のリュウキュウスガモの種子３が発芽および発根し始め、その後、時間経過とともに、葉茎および根茎が伸びて、図３に示すごとき幼体５に成長する。この場合、海草増殖基盤１の上層には粗い目の被覆ネット４が、その下層には多孔性のヤシマット２がそれぞれ存在するので、図３に示すように前記被覆ネット４を通して幼体５の葉茎部５ａが自由に伸長し、かつヤシマット２を通して根茎部５ｂが自由に伸長する。その後、時間経過とともに葉茎部５ａおよび根茎部５ｂが大きく成長し、その根茎部５ｂは海底地盤Ｇ中に十分深く着生するようになる。しかして、この間、上層の被覆ネット４は、生分解せずにその形状を維持するので、種子３はもとより幼体５の流出が防止される。一方、生分解性ポリ乳酸からなる被覆ネット４は２〜３年程度で生分解し、また、ヤシマット２は長期的に分解するので、環境に悪影響を与えることはない。
【００２１】
上記のように構成した海草増殖基盤１は、支持板としてのヤシマット２と被覆ネット４とに種子３を機械的に挟持させた構造となっているので、従来のように固着剤による面倒な固着工程は不要となり、製作コストは低減する。本第１実施形態においては特に、支持板として安価なヤシマット２を用いているので、コストの安い海草増殖基盤１を提供できる。また、海草増殖基盤１は、その全体が適度の剛性を有する盤状をなすと共に軽量であるので、取扱いが容易であり、海底への敷設も容易となる。
【００２２】
なお、上記種子３は、リュウキュウスガモ以外の種々の海草類の種子であってもよいことはもちろんである。ただし、海草類の種子は、一般的にかなり細かいので、被覆ネットとして、これら種子を通さない細かいものを用いる必要がある。
【００２３】
図４は、本発明の第２実施形態としての海草増殖基盤を示したものである。本海草増殖基盤１０は、移植用として構成されたもので、上記第１実施形態におけるリュウキュウスガモの種子３に代えてリュウキュウスガモの幼体１１を配置したことを特徴とする。なお、この幼体１１を除く構成は、第１実施形態と同じであるので、ここでは、同一構成要素に同一符号を付している。リュウキュウスガモの幼体１１は、上記のようにして採取した種子を土砂に播種して水槽内で発芽させることにより得ることができる。この場合、土砂としては現地から採取した底泥を用いることが望ましく、また、水槽内は現地の環境に似せて温度管理、光量管理等を行うようにする。なお、この幼体１１は、現地から採取したものをそのまま用いてもよいことはもちろんである。
【００２４】
本海草増殖基盤１０を製作するには、上記第１実施形態と同様に所定大きさのヤシマット２と被覆ネット４とを用意し、先ず、一定高さに保持した被覆ネット４に対して、幼体１１の葉茎部１１ａを挿入しながら該幼体１１を下向きにセットし、続いて、幼体１１の上にヤシマット２を被せ、その後、ヤシマット２と被覆ネット４とを適宜の連結部材により固結する。すなわち、第１実施形態とは組付順序が逆となるが、前記固結後、反転すれば、図４に示す状態の海草増殖基盤１０となる。この場合、幼体１１の根茎部１１ｂはヤシマット２上に押えられた状態となるが、これによって根茎部１１ｂが損傷を受けることはない。ただし、安全を期すため、ヤシマット２と被覆ネット４との間に前記したスペーサを介装してもよい。なお、この海草増殖基盤１０は、被覆ネット４の上方へ幼体１１の葉茎部１１ａがはみ出しているので、その保管に際しては、葉茎部１１ａが損傷しないように配慮する必要がある。
【００２５】
上記海草増殖基盤１０を海底に敷設する手順は、上記第１実施形態と同じであり、台船上からクレーン操作および潜水作業により藻場造成域に必要枚数の海草増殖基盤１０を敷き並べる。本海草増殖基盤１０は、上記播種用の海草増殖基盤１と同様に取扱いが容易で、海底への敷設も容易であるので、移植作業を高能率にかつ安定して行なうことができる。このように敷設された海草増殖基盤１０は、幼体１１の根茎部１１ｂがある程度成長していることもあって、該根茎部１１ｂはヤシマット２を通して速やかに伸長し、比較的短期間（２ヶ月程度）で海底地盤に着生する。しかして、この間、上層の被覆ネット４は、生分解せずにその形状を維持するので、幼体１１の流出が防止される。この場合、根茎部１１ｂが比較的短期間で海底地盤に着生することから、ここで採用する被覆ネット４としては、生分解の時間が短い材料を選択することができる。
【００２６】
本第２実施形態において、上記幼体１１の種類は任意であり、リュウキュウスガモ以外の種々の海草類の幼体を用いることができる。例えば、沖縄周辺には、リュウキュウアマモ、ベニアマモ、ボウバアマモ、ウミジグサ、マツバウミジグサ、ウミショウブ、ウミヒルモ等の多種の海草類が存在するが、これらは、何れも種子を発見するのが困難であるので、本海草増殖基盤１０を用いて幼体移植を行うようにすれば、これらの海草場を効率よく造成できる。
【００２７】
図５は、本発明の第３実施形態としての海草増殖基盤を示したものである。本海草増殖基盤１５は、移植用として構成されている点で上記第２実施形態と同じであるが、ここでは、上記第２実施形態における幼体１１に代えてリュウキュウスガモの成体１６を配置している。リュウキュウスガモの成体は、現地で繁殖している状態では、根茎部１６ｂが隣接するもの同士で相互にからまって複雑に入り組んでいるので、現地から塊で採取した後、葉茎部１６ａの単位で根茎部１６ｂを裁断して、株分けする。
【００２８】
本海草増殖基盤１５を製作するには、被覆ネット４に対し、その片側から他側へ成体１６の根茎部１６ｂをまとめて挿通させ、次に、前記根茎部１６ｂを下側にしてヤシマット２上に被覆ネット４を重ね、その後、ヤシマット２と被覆ネット４とを適宜の連結部材により固結する。この場合、成体１６の根茎部１６ｂはヤシマット２上に押えられた状態となるが、これによって根茎部１６ｂが損傷を受けることはないが、安全を期すには、第２実施形態と同様に、ヤシマット２と被覆ネット４との間にスペーサを介装するのが望ましい。このように製作された海草増殖基盤１５は、被覆ネット４の上方へ成体１６の葉茎部１６ａが大きく延ばされるので、その保管に際しては、葉茎部１６ａが損傷しないように配慮する必要がある。
【００２９】
上記海草増殖基盤１５を海底に敷設する手順は、上記第１および第２実施形態と同じであり、台船上からクレーン操作および潜水作業により藻場造成域に必要数の海草増殖基盤１５を敷き並べる。このように敷設された海草増殖基盤１５は、その成体１６の根茎部１６ｂがヤシマット２を通して速やかに伸長し、比較的短期間で海底地盤に着生する。しかして、この間、上層の被覆ネット４は、生分解せずにその形状を維持するので、成体１６の流出が防止される。なお、成体１６は、リュウキュウスガモ以外の種々の海草類の成体であってもよいことはもちろんで、第２実施形態で挙げた各種海草類の移植に適用できる。
【００３０】
ここで、上記第１〜３実施形態においては、下層の支持板としてヤシマット２を用いたが、この支持板は、通根を許容する十分なる多孔構造を有しかつ生分解性を有していれば、その種類は任意である。図６は、前記ヤシマット２に代えて、前記被覆ネット４と同種のネット２１を用いた海草増殖基盤２０（第４実施形態）を示したものである。本海草増殖基盤２０は播種用として構成されており、この場合は、支持板としてのネット２１上に種子３を配置すると共に、この種子３上に被覆ネット４を被せ、この状態で、被覆ネット４とネット２１とを適宜の連結部材により固結する。このように構成された海草増殖基盤２０は、その全体が大きな開口面積を有する透過構造となっているので、水の抵抗をほとんど受けず、したがって、海底への沈降が円滑となると共に、敷設後の潮流に対しても安定する。なお、本第４実施形態は、移植用として構成してもよいことはもちろんで、この場合は、該ネット２１と被覆ネット４との間に幼体１１（図４）または成体１６（図５）が配置されることになる。
【００３１】
図７および図８は、本発明の第５実施形態としての海草増殖基盤を示したものである。本海草増殖基盤２５の特徴とするところは、上記第１実施形態としての播種用海草増殖基盤１に対し、その上層の被覆ネット４の上にさらに金網２６を配置し、この金網２６と、被覆ネット４とヤシマット２とを連結部材により相互に固結した点にある。金網２６は、全体の剛性を適当に高める目的で配置されたもので、海草類の成長の妨げにならないように、被覆ネット４よりも十分大きな目を有するものを選択する。一例として、該金網２６としては、線径が１.９〜２.３ｍｍで、目の大きさが５〜７ｃｍ程度のものが選択される。金網２６の種類（形状）は任意であり、図７に示すごとき菱形金網であっても、亀甲状金網であっても、あるいは単に縦線と横線とを交差させたものでもよい。このように構成された海草増殖基盤２５は、金網２６によって適度に剛性が高まっているので、その取扱いはより容易となり、海底への敷設も容易となる。なお、本第５実施形態は、移植用として構成してもよいことはもちろんで、この場合は、第２実施形態である海草増殖基盤１０（図４）の被覆ネット４の上、または第３実施形態である海草増殖基盤１５（図５）の被覆ネット４の上に前記金網２６が配置される。
【００３２】
なお、上記各実施形態においては、播種用の海草増殖基盤１および１Ｃと移植用の海草増殖基盤１Ａおよび１Ｂとを完全に使い分けるようにしたが、本発明は、１つの基盤に種子と幼体または成体とを混合して保持させるようにしてもよい。
【実施例】
【００３３】
１ｍ四方の大きさを有する厚さ約３ｍｍのヤシマットと、厚さ約１ｍｍで目合６×６ｍｍの被覆ネット（ポリ乳酸ネット）とを用意した。そして、これらヤシマットと被覆ネットとの間に、図９に示すように、リュウキュウスガモの種子５粒を１単位Ａとしてその１０単位（５０粒）を分散して配置すると共に、リュウキュウスガモの幼体５株を１単位Ｂとしてその１単位を配置した。次に、前記被覆ネットの上に菱形金網を配置し、前記金網、被覆ネットおよびヤシマットの３者を縫合糸により縫合して一体の海草増殖基盤（ヤシマット基盤）を製作した。また、前記ヤシマットに代えてポリ乳酸ネットを用いる以外は、前記と同じ手順で海草増殖基盤（ネット基盤）を製作した。そして、沖縄の瀬長島地先の海域を敷設場所として選定し、３月中旬を選択して、前記ヤシマット基盤の２枚とネット基盤の２枚とを砂地盤上に並べて敷設し、固定具を海底に打込んで各基盤を固定した。その後、経時的に種子の発芽状況および幼体の生育状況を観察した。この結果、約２週間経過で種子の発芽が認められ、約１ヶ月経過で種子の約６０％が発芽し、葉茎部が３０ｍｍにも達しているものも認められた。一方、幼体については、その全てが順調に生育し、約１ヶ月経過で葉茎部に多くの藻類や苔類が付着しているのが観察された。
【図面の簡単な説明】
【００３４】
【図１】本発明の第１実施形態としての播種用海草増殖基盤の構造を模式的に示す斜視図である。
【図２】本第１実施形態としての播種用海草増殖基盤の構造を模式的に示す断面図である。
【図３】本播種用海草増殖基盤における種子の発芽状況を模式的に示す断面図である。
【図４】本発明の第２実施形態としての移植用海草増殖基盤の構造を模式的に示す断面図である。
【図５】本発明の第３実施形態としての移植用海草増殖基盤の構造を模式的に示す断面図である。
【図６】本発明の第４実施形態としての移植用海草増殖基盤の構造を模式的に示す斜視図である。
【図７】本発明の第５実施形態としての播種用海草増殖基盤の構造を模式的に示す斜視図である。
【図８】本第５実施形態としての播種用海草増殖基盤の構造を模式的に示す断面図である。
【図９】本発明の実施例における種子および幼体の配置状態を示す模式図である。
【符号の説明】
【００３５】
１、２０、２５      播種用海草増殖基盤
１０、１５    移植用海草増殖基盤
２    ヤシマット（支持板）
３    種子
４    被覆ネット
１１    幼体、    １１ａ  葉茎部、    １１ｂ  根茎部
１６    成体、    １６ａ  葉茎部、    １６ｂ  根茎部
２１    ネット（支持板）
２６    金網
【図１】
2005348696.tif 000003
【図２】
2005348696.tif 000004
【図３】
2005348696.tif 000005
【図４】
2005348696.tif 000006
【図５】
2005348696.tif 000007
【図６】
2005348696.tif 000008
【図７】
2005348696.tif 000009
【図８】
2005348696.tif 000010
【図９】
2005348696.tif 000011